(57)【特許請求の範囲】
【請求項１】
底版部（２）とこの両脇で起立する左右一対の側壁部（３）とこれら両側壁部（３）の上端部間を連結する天版部（４）とを有して内部に貫通路（５）が形成されていて、地盤に掘削した溝内に貫通路（５）が連通するように多数隣接して並べ置いて排水路を形成するプレキャスト側溝において、
上記天版部（４）の長手方向の両端には、隣接するプレキャスト側溝（１）を引き寄せる引き寄せ工具（１５）を係止させるための第１係合孔（７）と第２係合孔（８）とが設けられており、
左右の側壁部（３）の長手方向一端側寄りには左右外方へ向けてアンカー突起（１０）が突設され、長手方向他端寄りには隣接するプレキャスト側溝（１）のアンカー突起（１０）に連結される緊締棒（１１）が長手方向に沿って突出して設けられており、
前記緊締棒（１１）は、突出先端が隣接するプレキャスト側溝（１）の前記アンカー突起（１０）まわりに折り返し状に曲げられて形成されていることを特徴とするプレキャスト側溝。
【発明の詳細な説明】
【０００１】
【発明の属する技術分野】
本発明は、プレキャスト側溝に関するものである。
【０００２】
【従来の技術】
図８は、従来、道路端などに対して埋設型の排水路を施工する状況を示している。
この施工法は、地盤に掘削した溝１００の溝底を基礎砕石１０１、基礎コンクリート１０２、敷モルタル１０３等で均し、その上へトラッククレーン１０４等で吊り下げたプレキャスト側溝１０５を順々に置き並べて、その後、溝１００を埋め戻すというものである。
【０００３】
図９に示すように、プレキャスト側溝１０５は、底版部１１０と、この底版部１１０の両脇で起立する左右一対の側壁部１１１と、これら両側壁部１１１の上端部間を連結する天版部１１２とを有して、その内部に貫通路１１３を形成させたものであって、有筋又は無筋のコンクリート製とされている。
なお、側壁部１１１には、貫通路１１３の長手方向両端寄りに対応して、ボルト取付孔１１５が設けられている。
このようなプレキャスト側溝１０５を溝１００内へ置き並べるには、まず、トラッククレーン１０４等で吊り下げたプレキャスト側溝１０５（Ａ）を、設置済みのプレキャスト側溝１０５（Ｂ）にある程度近接させるようにしつつ溝底へ降ろしてトラッククレーン１０４等から切り離す。
【０００４】
次に、この溝底へ降ろしたプレキャスト側溝１０５（Ａ）の下端と溝底との間へ作業員Ｍがバール１１６の先端を突き刺し、バール１１６の上端部を斜め前方へ持ち上げるように操作することによって、このプレキャスト側溝１０５（Ａ）を設置済みのプレキャスト側溝１０５（Ｂ）へ向けて摺り動かして当接させる。
その後、これら当接状態とさせた両プレキャスト側溝１０５（Ａ及びＢ）に対し、図９に示したように、一方側のボルト取付孔１１５に対してＪ型プレート１２０をボルト１２１により仮付けすると共に、このＪ型プレート１２０に組み合わせたくさびプレート１２２を他方側のボルト取付孔１１５へボルト１２３によって仮付けする。
【０００５】
そして、図１０に示すように、くさびプレート１２１を打ち込んでＪ型プレート１２０へ食い込ませるようにすることで、両側のプレキャスト側溝１０５（Ａ及びＢ）を強く引き合わせる状態とさせ、次に、ボルト１２１，１２３を増し締めして、Ｊ型プレート１２０とくさびプレート１２１とをそれぞれのプレキャスト側溝１０５（Ａ及びＢ）へ固定させる、というものである。
【０００６】
【発明が解決しようとする課題】
溝１００の溝底へ降ろしたプレキャスト側溝１０５（Ａ）をバール１１６によって摺り動かす方法は、プレキャスト側溝１０５（Ａ）の移動痕及びバール１１６の突き痕によって溝１００の溝底を荒らすことになり、不都合となっていた。また、なにより作業員Ｍには重労働となっている。
そのうえ、Ｊ型プレート１２０とくさびプレート１２１とを用いる方法では、例えば溝１００が官民境界地に沿って設けられている場合など、溝幅に余裕を取れない（溝幅を広げられない）ときに、Ｊ型プレート１２０やくさびプレート１２２の取り付け、くさびプレート１２２の打ち込み、ボルト１２１，１２３の増し締めなどを行うための作業スペースを確保できないことがあった。従って、このような場合には、鉄筋を適当な形状に曲げてこれをボルト１２１，１２３間に掛け渡す程度の措置しか取れないということがあった。
【０００７】
本発明は、上記事情に鑑みてなされたものであって、施工が容易で、殊にプレキャスト側溝相互の連結が確実に行えるようにしたプレキャスト側溝を提供することを目的とする。
【０００８】
【課題を解決するための手段】
前記目的を達成するために、本発明は次の手段を講じた。
即ち、本発明に係るプレキャスト側溝は、底版部２とこの両脇で起立する左右一対の側壁部３とこれら両側壁部３の上端部間を連結する天版部４とを有して内部に貫通路５が形成されていて、地盤に掘削した溝内に貫通路５が連通するように多数隣接して並べ置いて排水路を形成するプレキャスト側溝において、
上記天版部４の長手方向の両端には、隣接するプレキャスト側溝１を引き寄せる引き寄せ工具１５を係止させるための第１係合孔７と第２係合孔８とが設けられており、
左右の側壁部３の長手方向一端側寄りには左右外方へ向けてアンカー突起１０が突設され、長手方向他端寄りには隣接するプレキャスト側溝１のアンカー突起１０に連結される緊締棒１１が長手方向に沿って突出して設けられており、
前記緊締棒１１は、突出先端が隣接するプレキャスト側溝１の前記アンカー突起１０まわりに折り返し状に曲げられて形成されている。
【０００９】
このような構成にあって、互いに近接状態で並べ置かれたプレキャスト側溝の相互間にわたり、それぞれの第１係合孔と第２係合孔とを利用して引き寄せ工具を係止させたうえで、この引き寄せ工具を、レバー本体側（位置決め側のプレキャスト側溝における第１係合孔側）へ前倒しさせるように揺動操作する。
すると、この揺動されるレバー本体にフックレバーが引っ張られることに伴って、このフックレバーが係止している第２係合孔を介して位置合わせ側のプレキャスト側溝が、位置決め側のプレキャスト側溝へ向けて引き寄せられるように移動することになる。
【００１０】
なお、引き寄せ工具は、レバー本体の先端部（位置決め側のプレキャスト側溝の第１係合孔）を支点として揺動することになるから、これに伴うかたちで引き寄せ移動される位置合わせ側のプレキャスト側溝は、第２係合孔寄りの端部側が一旦持ち上げられるようにして移動することになる。
すなわち、この位置合わせ側のプレキャスト側溝の移動は、一端側を浮き上がらせた状態で他端側だけが地盤上を摺る状態となるから、地盤への接地量が小さくなりその悪影響が可及的に抑えられることになる。
【００１１】
一方、このプレキャスト側溝では、左右の側壁部において、貫通路の長手方向に沿った一端寄りにアンカー突起が設けられ、同他端寄りに緊締棒が設けられている。
アンカー突起は、左右の側壁部外面から、その左右両側方へ向けて突出したものとする。そしてこのアンカー突起には、緊締用レバー工具を取り付けることができるものとし、且つ、このアンカー突起を軸としつつそのまわりで緊締用レバー工具を揺動させることができるようにする。
【００１２】
また緊締棒は、貫通路の長手方向に沿って、このプレキャスト側溝から前方又は後方へ突出したものとする。例えば鉄筋などで形成したものとすればよい。
このように構成させると、互いに当接乃至近接状態で並べ置かれたプレキャスト側溝のうち、一方のプレキャスト側溝のアンカー突起に緊締用レバー工具を取り付けて、これを揺動させた場合、この緊締用レバー工具に他方のプレキャスト側溝に設けた緊締棒が係合しつつ、この緊締棒が上記アンカー突起のまわりで折り返し状に曲げられるようになる。
【００１３】
従って、この折り曲げられた緊締棒がアンカー突起と係合状態となって、両方のプレキャスト側溝同士がますます引き寄せ合うようになると共に、離反しない状態に固定されることになる。
このような構成であると、プレキャスト側溝に対する緊締用レバー工具の取り付けが容易であり且つ省スペースで行えることに伴って、例えば官民境界に沿って設けられた溝内にプレキャスト側溝を並べ置くような場合でも、プレキャスト側溝相互の連結が確実に行えるものとなる。
【００１４】
【発明の実施の形態】
以下、本発明の実施の形態を、図面に基づき説明する。
図１は、本発明に係るプレキャスト側溝１の一実施形態を示している。
このプレキャスト側溝１は、底版部２と、この底版部２の両脇で起立する左右一対の側壁部３と、これら両側壁部３の上端部間を連結する天版部４とを有したコンクリート製の一体物であって、内部に、例えば円形開口等を呈する貫通路５が形成されている。
【００１５】
底版部２、側壁部３、天版部４のうち適所には、必要に応じて鉄筋（図示略）が埋設され、補強されている。
天版部４には、第１係合孔７と第２係合孔８とが設けられている。
図２に示すように、これら第１係合孔７及び第２係合孔８は、後述の引き寄せ工具１５を係止させるためのものである。
なお、本実施形態において、上記した第１係合孔７及び第２係合孔８は、いずれも貫通路５の長手方向に沿った長孔状に形成されたものとしている。
【００１６】
また、このプレキャスト側溝１を地盤に設けた溝内へ並べ置く場合等にあって、隣接するプレキャスト側溝１同士を連結する段階となれば、各プレキャスト側溝１における左右の側壁部３に対して貫通路５の長手方向に沿った一端寄りにアンカー突起１０が設けられ、同他端寄りには緊締棒１１が設けられる状態とされる。
アンカー突起１０は、左の側壁部３ではその外面から左側方へ向けて突出したものであり、右の側壁部３ではその外面から右側方へ向けて突出したものである。これに対して緊締棒１１は、貫通路５の長手方向に沿って、このプレキャスト側溝１から前方又は後方へ突出したものとなっている。
【００１７】
これらアンカー突起１０と緊締棒１１とは、アンカー突起１０のまわりへ緊締棒１１を折り返し状に曲げて係合させるための相互連結用のものである。また、アンカー突起１０には、後述の緊締用レバー工具２５を取り付けできるようになっており、且つ、このアンカー突起１０を軸としつつそのまわりで緊締用レバー工具２５を揺動できるようになっている。
言うまでもなく、緊締棒１１がプレキャスト側溝１から突出する長さは、隣接して置かれるプレキャスト側溝１のアンカー突起１０に対して係合可能となる長さとして決定されている。
【００１８】
なお、本実施形態において、上記したアンカー突起１０にはボルトを用いてある。そのため左右の各側壁部３には、アンカー突起１０を取り付ける位置に対応させてナット部材（図示略）の埋設によるボルト取付孔１２が設けられたものとしてある。
また、緊締棒１１は、孔明き片１１ａに鉄筋１１ｂが溶接によって取り付けられたものとしてあり、この孔明き片１１ａを介してボルト１３で左右の各側壁部３へ取り付けられるようになっている。そのため左右の各側壁部３には、ボルト１３を取り付ける位置に対応させてナット部材（図示略）の埋設によるボルト取付孔１４が設けられたものとしてある。
【００１９】
図３に示すように、上記した引き寄せ工具１５は、レバー本体１６と、このレバー本体１６に対して、その先端寄りに設けられた枢軸部１７を介して揺動自在に連結されたフックレバー１８とを有している。
レバー本体１６の先端部には、第１係合孔へ抜き差し自在となるヘラ先１９が設けられていると共に、このヘラ先１９の根本部にストッパ２０が設けられている。
ヘラ先１９は、これを第１係合孔７へ差し込んだときにその開口縁部へ軽く引っ掛けることができるように、レバー本体１６の軸方向に対してやや折曲した状態に設けられている。またストッパ２０は、第１係合孔７に挿入不可となる大きさで形成されており、第１係合孔７に対してヘラ先１９を差し込んだときに、この第１係合孔７の開口縁部に当接することによって、ヘラ先１９だけの差し込み状態が得られるように制限する。
【００２０】
フックレバー１８はＬ字状に折曲されたもので、その先端部に鉤状に折れ曲がるフック端２１が設けられている。このフックレバー１８は、その略全体が第２係合孔８へ抜き差し自在な太さとして形成されている。
このようなことから、図２に示すように、複数のプレキャスト側溝１を各貫通路５の相互連通方向に沿って並べ置く場合にあって、それらの第１係合孔７と第２係合孔８とが近接する向きとしておき、引き寄せ工具１５におけるレバー本体１６の先端部（ヘラ先１９）を、位置決め側とされる方（先に設置された方）のプレキャスト側溝１（Ｂ）における第１係合孔７へ差し込む。このとき、ストッパ２０の下端を第１係合孔７の開口縁部へ当接させると共に、ヘラ先１９の根本部を第１係合孔７の開口縁部へ係止させておく。
【００２１】
また、引き寄せ工具１５におけるフックレバー１８の先端部（フック端２１）を、引き寄せ側となる方（位置合わせのために動かす方）のプレキャスト側溝１（Ａ）における第２係合孔８へ差し込み、係止させる。
この状態を図４（ａ）に模式的に示すが、ここから図４（ｂ）及び図４（ｃ）に順を追って示すように、引き寄せ工具１５を、そのレバー本体１６側（位置決め側のプレキャスト側溝１（Ｂ）側）へ前倒しさせるように揺動操作する。
すると、この揺動されるレバー本体１６にフックレバー１８が引っ張られることに伴って、このフックレバー１８が係止している第２係合孔８を介して位置合わせ側のプレキャスト側溝１（Ａ）が、位置決め側のプレキャスト側溝１（Ｂ）へ向けて引き寄せられるように移動することになる。
【００２２】
このとき、引き寄せ工具１５は、レバー本体１６の先端（ヘラ先１９）側を支点として揺動することから、これに伴うかたちで引き寄せ移動される位置合わせ側のプレキャスト側溝１（Ａ）は、第２係合孔８寄りの端部側を一旦持ち上げられるようにして移動し、結果として、この他端側だけが地盤上を摺る状態となるから、地盤への悪影響が可及的に抑えられることになる。
図５及び図６に示すように、上記した緊締用レバー工具２５は、レバー本体２６と、このレバー本体２６の一端側に設けられた回動基盤２７と、この回動基盤２７に設けられたバイス片２８とを有している。
【００２３】
なお、本実施形態では、回動基盤２７に扇形をしたバイス片２８が２個設けられたものとしてある。また、レバー本体２６における他端側には、予備工具部２９が付属されたものとしてある。
回動基盤２７には、その略中心部に軸孔３０が設けられている。この軸孔３０は、上記したアンカー突起１０に対して回動自在な状態で係合可能となっている。アンカー突起１０は、上記したように本実施形態においてボルトによって形成したものとしてあるので、軸孔３０は、このボルトのボルト頭１０ａに対する外接円に相当する内径を有し、且つボルト頭１０ａの丈（厚さ）を吸収できる孔深さを有したものとしてある。
【００２４】
また、予備工具部２９は、このボルト頭１０ａを回動操作可能なスパナとしてある。
図７に示すように、バイス片２８は、軸孔３０によって回動基盤２７をアンカー突起１０へ係合させたときに、隣のプレキャスト側溝１から延びている緊締棒１１に対してその側方から当接可能なようになったものである。
このバイス片２８の配置や大きさ、形状、形成数などに関しては、緊締用レバー工具２５の揺動操作範囲と緊締棒１１を曲げる度合いとによって決まるが、具体的には緊締棒１１の太さ、アンカー突起１０の位置、緊締用レバー工具２５の長さ等々の諸条件、或いは左の側壁部３に設けられたアンカー突起１０に対しての使用と右の側壁部３に設けられたアンカー突起１０に対しての使用とを、兼用させるか否か（本実施形態では兼用タイプである）、によっても様々に変化するものであり、特に限定されるものではない。
【００２５】
このようなことから、図７（ａ）に示すように、複数のプレキャスト側溝１が互いに当接乃至近接状態とされることによって緊締棒１１がアンカー突起１０と交差した状態から、緊締用レバー工具２５の回動基盤２７を、アンカー突起１０へ取り付ける。
このとき、レバー本体２６を操作しやすい角度にしたうえでバイス片２８が緊締棒１１の側面に当接する状態にセットしておく。
そして、ここから図７（ｂ）〜図７（ｄ）に順を追って示すように、緊締用レバー工具２５を揺動操作すると、緊締棒１１がバイス片２８に係合したまま、この緊締棒１１がアンカー突起１０のまわりで折り返し状に曲げられるようになる。
【００２６】
従って、この折り曲げられた緊締棒１１がアンカー突起１０と係合状態となって、両方のプレキャスト側溝１（Ａ，Ｂ）同士がますます引き寄せ合うようになると共に、離反しない状態に固定されることになる。
なお、緊締用レバー工具２５の揺動範囲を確保するために、図７（ｃ）に示すように一旦、アンカー突起１０から回転基盤２７を外してレバー本体２６を元の傾きに戻し、もう一度、同じように緊締用レバー工具２５を揺動させるようにしてもよい。
【００２７】
このようにして緊締棒１１の折り曲げができた後は、必要に応じて、アンカー突起１０自体（ボルト）や緊締棒１１を止め付けているボルト１３を増し締めすればよい。この場合、緊締用レバー工具の予備工具部２９を使用すればよい。
ところで、本発明は上記実施形態に限定されるものではない。
例えば、このプレキャスト側溝１において、底版部２、側壁部３、天版部４は無筋構造とすることも可能である。また、これら底版部２、側壁部３、天版部４は必ずしも一体とする必要はなく、殊に天版部４は別体にすることが可能である。
【００２８】
勿論、その他、このプレキャスト側溝１としての大きさ、細部形状、用途、施工構造などは、何ら限定されるものではない。
第１係合孔７や第２係合孔８は丸孔や角孔としてもよい。また、これら第１係合孔７と第２係合孔８とで、形状や大きさ、天版部４に対する配置等を異ならせてもよい。
アンカー突起１０や緊締棒１１の取付用ボルト１３は、コンクリート釘やスクリュウボルト等に置換することも可能である。これらの場合、言うまでもなく、側壁部３に対してナット部材を埋設する必要はない。
【００２９】
また、アンカー突起１０や緊締棒１１は、側壁部３に対して予め固定しておいてもよい。
引き寄せ工具１５や緊締用レバー工具２５の細部構造などは、適宜変更可能である。
【００３０】
【発明の効果】
以上の説明から明らかなように、本発明に係るプレキャスト側溝では、施工が容易となり、殊にプレキャスト側溝相互の連結が確実に行えるようになる。
【図面の簡単な説明】
【図１】  本発明に係るプレキャスト側溝の一実施形態を示す斜視図である。
【図２】  引き寄せ工具の取付状況を示した側断面図である。
【図３】  引き寄せ工具を示した側面図である。
【図４】  引き寄せ工具によるプレキャスト側溝の移動状況を分解説明した側面図である。
【図５】  緊締用レバー工具を示す側面図である。
【図６】  図５のＡ−Ａ線拡大断面図である。
【図７】  緊締用レバー工具によるプレキャスト側溝の連結状況を分解説明した側面図である。
【図８】  従来におけるプレキャスト側溝の移動状況を説明した側面図である。
【図９】  従来のプレキャスト側溝を示した斜視図である。
【図１０】  従来のプレキャスト側溝の連結状況を示した拡大側面図である。
【符号の説明】
１    プレキャスト側溝
２    底版部
３    側壁部
４    天版部
５    貫通路
７    第１係合孔
８    第２係合孔
１０    アンカー突起
１１    緊締棒
１５    引き寄せ工具
１６    レバー本体
１８    フックレバー
２５    緊締用レバー工具
【図１】
0003980335.tif 000002
【図２】
0003980335.tif 000003
【図３】
0003980335.tif 000004
【図４】
0003980335.tif 000005
【図５】
0003980335.tif 000006
【図６】
0003980335.tif 000007
【図７】
0003980335.tif 000008
【図８】
0003980335.tif 000009
【図９】
0003980335.tif 000010
【図１０】
0003980335.tif 000011